(57)【要約】【課題】カード挿入口から正常なカードが挿入されたか否かを適切に検知することが可能なカード処理装置を提供する。【解決手段】カード処理装置は、カード挿入口から挿入されるカードの幅を検知して幅検知信号を出力する幅検知機構１１と、カード挿入口から挿入されるカードの厚みを検知して厚み検知信号を出力する厚み検知機構１２と、幅検知機構１１と厚み検知機構１２とが接続され、幅検知信号および厚み検知信号が入力されるとカード検知信号を出力するＡＮＤ回路２８と、ＡＮＤ回路２８から入力されるカード検知信号に基づいて所定の制御を実行するための制御信号を出力する演算回路２９とを備えている。【選択図】図４
2011209981.tif 000002
【特許請求の範囲】
【請求項１】
カード挿入口から挿入されるカードの幅を検知して幅検知信号を出力する幅検知機構と、前記カード挿入口から挿入される前記カードの厚みを検知して厚み検知信号を出力する厚み検知機構と、前記幅検知機構と前記厚み検知機構とが接続され、前記幅検知信号および前記厚み検知信号が入力されるとカード検知信号を出力するＡＮＤ回路と、前記ＡＮＤ回路から入力される前記カード検知信号に基づいて所定の制御を実行するための制御信号を出力する演算回路とを備えることを特徴とするカード処理装置。
【請求項２】
前記カードが搬送されるカード搬送路を塞ぐ閉位置と前記カード搬送路を開放する開位置とに移動可能なシャッタと、前記シャッタを駆動するシャッタ駆動回路とを備え、
前記幅検知機構および前記厚み検知機構は、前記カード挿入口と前記シャッタとの間に配置され、
前記演算回路は、前記カード検知信号に基づいて前記開位置へ前記シャッタを移動させるシャッタ開信号を前記シャッタ駆動回路へ出力することを特徴とする請求項１記載のカード処理装置。
【請求項３】
前記カードに形成される磁気ストライプを検知して磁気ストライプ検知信号を前記演算回路へ出力する磁気ヘッドを前記カード挿入口と前記シャッタとの間に備えることを特徴とする請求項２記載のカード処理装置。
【請求項４】
前記幅検知機構は、前記カードの幅方向の端面に接触して変位する幅方向接触部材と、前記幅方向接触部材の変位を検知する幅検知センサとを備え、
前記厚み検知機構は、前記カードの表面に接触して変位する厚み方向接触部材と、前記厚み方向接触部材の変位を検知する厚み検知センサとを備えることを特徴とする請求項１から３のいずれかに記載のカード処理装置。
【請求項５】
請求項３に記載のカード処理装置と、前記演算回路に接続される制御指令部とを備え、
前記制御指令部は、前記演算回路を介して前記カード検知信号および前記磁気ストライプ検知信号が入力されると、前記シャッタ開信号を出力するように前記演算回路に制御指令を出力すること、または、前記演算回路を介して前記カード検知信号が入力されると、前記シャッタ開信号を出力するように前記演算回路に制御指令を出力することを特徴とするカード処理システム。
【発明の詳細な説明】
【技術分野】
【０００１】
本発明は、カードに対して所定の処理を行うカード処理装置およびこのカード処理装置を備えるカード処理システムに関する。
【背景技術】
【０００２】
カードリーダには、正常なカード以外の異形カードや異物等がカードリーダの内部へ取り込まれるのを防止するため、カード搬送路を閉鎖するシャッタが設けられているものがある。このシャッタは、カードがカード挿入口から挿入される前は、カード搬送路を塞いでおり、カード挿入口から正常なカードが挿入されたことが検知されると、カード搬送路を開放する。
【０００３】
従来、カード挿入口から正常なカードが挿入されたか否かを検知するカード挿入検知機構として、カードの幅を検知することで（すなわち、カードの幅方向でカードを検知することで）、カード挿入口から正常なカードが挿入されたか否かを検知するカード挿入検知機構が知られている（たとえば、特許文献１参照）。
【０００４】
また、カード挿入口から正常なカードが挿入されたか否かを検知するカード挿入検知機構として、カードの厚みを検知することで（すなわち、カードの厚み方向でカードを検知することで）、カード挿入口から正常なカードが挿入されたか否かを検知するカード挿入検知機構も知られている（たとえば、特許文献２参照）。
【先行技術文献】
【特許文献】
【０００５】
【特許文献１】特開２００３−３２３５８８号公報
【特許文献２】特開２００７−１１４５８号公報
【発明の概要】
【発明が解決しようとする課題】
【０００６】
近年、カードリーダに対する悪質ないたずらや犯罪が増加しており、カード挿入口から正常なカードが挿入されていないにもかかわらず、カード挿入検知機構で正常なカードが挿入されたと検知させて、シャッタを開放し、悪質ないたずらや犯罪が行われることも想定される。しかしながら、従来は、カードの幅または厚みを検知することで、カード挿入口から正常なカードが挿入されたか否かを検知しているため、正常なカードが挿入されたか否かを適切に判断することができずに、シャッタが開放されてしまうおそれがある。
【０００７】
そこで、本発明の課題は、カード挿入口から正常なカードが挿入されたか否かを適切に検知することが可能なカード処理装置を提供することにある。また、本発明の課題は、かかるカード処理装置を備えるカード処理システムを提供することにある。
【課題を解決するための手段】
【０００８】
上記の課題を解決するため、本発明のカード処理装置は、カード挿入口から挿入されるカードの幅を検知して幅検知信号を出力する幅検知機構と、カード挿入口から挿入されるカードの厚みを検知して厚み検知信号を出力する厚み検知機構と、幅検知機構と厚み検知機構とが接続され、幅検知信号および厚み検知信号が入力されるとカード検知信号を出力するＡＮＤ回路と、ＡＮＤ回路から入力されるカード検知信号に基づいて所定の制御を実行するための制御信号を出力する演算回路とを備えることを特徴とする。
【０００９】
本発明のカード処理装置は、幅検知機構と厚み検知機構とを備えている。そのため、カードの幅および厚みを検知することで、カード挿入口から挿入されるカードが正常なカードであるか否かを検知することができる。したがって、本発明では、カード挿入口から正常なカードが挿入されたか否かを適切に検知することが可能になる。
【００１０】
一方で、カード処理装置が幅検知機構と厚み検知機構とを備えている場合には、幅検知機構から幅検知信号が出力され、かつ、厚み検知機構から厚み検知信号が出力されるため、所定の制御を実行するための制御信号を出力する演算回路での処理負担が従来に比べて重くなるおそれがあるが、本発明のカード処理装置は、幅検知信号および厚み検知信号が入力されるとカード検知信号を出力するＡＮＤ回路を備えており、演算回路は、ＡＮＤ回路から入力されるカード検知信号に基づいて所定の制御を実行するための制御信号を出力している。そのため、幅検知信号および厚み検知信号の２つの信号が演算回路に入力されることはない。また、幅検知信号および厚み検知信号がＡＮＤ回路に入力されないとカード検知信号が演算回路に入力されない。したがって、本発明では、カード処理装置が幅検知機構と厚み検知機構とを備えている場合であっても、演算回路での処理負担を軽減することが可能になる。また、本発明では、幅検知信号および厚み検知信号の２つの信号が演算回路に入力される場合と比較して、演算回路の接続ポートの数を減らすことが可能になる。
【００１１】
本発明において、カード処理装置は、たとえば、カードが搬送されるカード搬送路を塞ぐ閉位置とカード搬送路を開放する開位置とに移動可能なシャッタと、シャッタを駆動するシャッタ駆動回路とを備え、幅検知機構および厚み検知機構は、カード挿入口とシャッタとの間に配置され、演算回路は、カード検知信号に基づいて開位置へシャッタを移動させるシャッタ開信号をシャッタ駆動回路へ出力する。本発明では、カード挿入口から正常なカードが挿入されたか否かを適切に検知することが可能になるため、この場合には、シャッタの開閉を適切に制御して、悪質ないたずらや犯罪を防止することが可能になる。したがって、カード処理装置の信頼性を高めることが可能になる。
【００１２】
本発明において、カード処理装置は、カードに形成される磁気ストライプを検知して磁気ストライプ検知信号を演算回路へ出力する磁気ヘッドをカード挿入口とシャッタとの間に備えることが好ましい。このように構成すると、カードの幅および厚みを検知するのに加え、カードに磁気ストライプが形成されているか否かを検知することで、カード挿入口から挿入されるカードが正常なカードであるか否かを検知することができる。したがって、カード挿入口から正常なカードが挿入されたか否かをより適切に検知することが可能になる。また、その結果、シャッタの開閉をより適切に制御して、悪質ないたずらや犯罪を防止することが可能になり、カード処理装置の信頼性をより高めることが可能になる。
【００１３】
本発明において、幅検知機構は、カードの幅方向の端面に接触して変位する幅方向接触部材と、幅方向接触部材の変位を検知する幅検知センサとを備え、厚み検知機構は、カードの表面に接触して変位する厚み方向接触部材と、厚み方向接触部材の変位を検知する厚み検知センサとを備えることが好ましい。このように構成すると、幅方向接触部材および厚み方向接触部材が直接、カードに接触するため、カードの幅方向および厚み方向におけるカードの検知精度を高めることが可能になる。したがって、カード挿入口から正常なカードが挿入されたか否かをより適切に検知することが可能になる。
【００１４】
本発明のカード処理装置は、演算回路に接続される制御指令部を備えるカード処理システムに用いることができる。このカード処理システムでは、カード挿入口から正常なカードが挿入されたか否かを適切に検知することが可能になる。また、このカード処理システムでは、たとえば、処理されるカードに磁気ストライプが形成されている場合には、制御指令部は、演算回路を介してカード検知信号および磁気ストライプ検知信号が入力されると、シャッタ開信号を出力するように演算回路に制御指令を出力する。または、このカード処理システムでは、処理されるカードに磁気ストライプが形成されていない場合には、制御指令部は、演算回路を介してカード検知信号が入力されると、シャッタ開信号を出力するように演算回路に制御指令を出力する。このように、カード処理装置を備えるカード処理システムでは、たとえば、処理されるカード等に応じて、シャッタの開閉制御に磁気ストライプ検知信号を利用するか否かを選択する。
【発明の効果】
【００１５】
以上のように、本発明のカード処理装置およびカード処理システムでは、カード挿入口から正常なカードが挿入されたか否かを適切に検知することが可能になる。
【図面の簡単な説明】
【００１６】
【図１】本発明の実施の形態にかかるカード処理装置の斜視図である。
【図２】図１に示すカード挿入部および本体部の一部の断面図である。
【図３】図１に示すカード挿入部に配置される幅検知機構および厚み検知機構の構成を説明するための斜視図である。
【図４】図１に示すカード処理装置の制御部およびその関連部分の構成を示すブロック図である。
【発明を実施するための形態】
【００１７】
以下、図面を参照しながら、本発明の実施の形態を説明する。
【００１８】
（カード処理装置の概略構成）
図１は、本発明の実施の形態にかかるカード処理装置１の斜視図である。図２は、図１に示すカード挿入部５および本体部３の一部の断面図である。図３は、図１に示すカード挿入部５に配置される幅検知機構１１および厚み検知機構１２の構成を説明するための斜視図である。
【００１９】
本形態のカード処理装置１は、カード２に記録された磁気データを読取りおよび／またはカード２への磁気データの記録を行う磁気ヘッド（図示省略）を備えるカードリーダである。したがって、以下では、本形態のカード処理装置１を「カードリーダ１」とする。このカードリーダ１は、図１に示すように、上述の磁気ヘッドが配置される本体部３と、カード２が挿入されるカード挿入口４が形成されるカード挿入部５とを備えている。カードリーダ１の内部には、図２に示すように、カード２が搬送されるカード搬送路６が形成されている。また、本体部３の内部には、カード搬送路６でカード２を搬送するためのカード搬送機構（図示省略）が配置されている。
【００２０】
カード２は、たとえば、厚さが０．７〜０．８ｍｍ程度の矩形状の塩化ビニール製のカードである。カード２には（具体的には、図２におけるカード２の下面には）、磁気データが記録される磁気ストライプ（図示省略）が形成されている。なお、カード２には、ＩＣチップが固定されても良いし、通信用のアンテナが内蔵されても良い。また、カード２は、厚さが０．１８〜０．３６ｍｍ程度のＰＥＴ（ポリエチレンテレフタレート）カードや、所定の厚さの紙カード等であっても良い。
【００２１】
カード搬送路６には、図２に示すように、シャッタ７が配置されている。シャッタ７は、本体部３とカード挿入部５との境界部分に配置されている。シャッタ７には、ソレノイド８（図３参照）が連結されており、シャッタ７は、ソレノイド８の動力で、カード搬送路６を塞ぐ閉位置（図２に示す位置）と、カード搬送路６を開放する開位置とに移動可能となっている。本形態では、ソレノイド８が励磁状態になると、シャッタ７は開位置へ移動し、ソレノイド８が非励磁状態になると、図示を省略するバネ等の付勢力でシャッタ７は閉位置へ移動する。また、カードリーダ１にカード２が挿入されていない待機状態のときには、シャッタ７は、閉位置にあってカード搬送路６を塞いでいる。
【００２２】
カード挿入部５には、図３に示すように、カード挿入口４から挿入されるカード２の幅を検知する幅検知機構１１と、カード挿入口４から挿入されるカード２の厚みを検知する厚み検知機構１２と、カード挿入口４から挿入されるカード２の磁気ストライプの有無を検知するプリヘッド（磁気ヘッド）１３とが配置されている。すなわち、カード挿入口４とシャッタ７との間には、幅検知機構１１、厚み検知機構１２およびプリヘッド１３が配置されている。
【００２３】
幅検知機構１１は、カード２の幅方向の端面２ａ（図１参照）に接触して変位する幅方向接触部材としてのレバー部材１５と、レバー部材１５の変位を検知する幅検知センサ１６とを備えている。幅検知センサ１６は、発光素子と受光素子とを備える光学式のセンサである。具体的には、幅検知センサ１６はフォトインタラプタである。
【００２４】
レバー部材１５は、カード２の端面２ａが接触するカード接触部１５ａと、幅検知センサ１６の発光素子と受光素子との間を遮る遮光部１５ｂとを備えている。図３に示すように、カード接触部１５ａと遮光部１５ｂとは互いに略直交するように形成されており、レバー部材１５は、カード２の搬送方向から見たときの形状が略Ｌ形状となるように形成されている。
【００２５】
レバー部材１５は、カード２の搬送方向を軸方向としてカード挿入部５のフレームに固定される固定軸１７に回動可能に支持されている。具体的には、カード２の幅方向におけるカード搬送路６の一端側からカード搬送路６に対してカード接触部１５ａが進退可能となるように、レバー部材１５は固定軸１７に回動可能に支持されている。また、固定軸１７が挿通されるネジリコイルバネ１８によって、カード接触部１５ａの一部がカード搬送路６の中に配置される方向に、レバー部材１５が付勢されている。
【００２６】
本形態では、カード２がカード挿入口４から挿入されていないときには、カード接触部１５ａは、カード搬送路６の中に配置されており、遮光部１５ｂは、幅検知センサ１６の発光素子と受光素子との間を遮っている。この状態で、所定の規格に適合するカード幅のカード２がカード挿入口４から挿入されると、カード２の端面２ａがカード接触部１５ａに接触して、カード搬送路６からカード接触部１５ａが退避する方向へレバー部材１５が固定軸１７を中心に回動する。また、レバー部材１５が回動すると、幅検知センサ１６の発光素子と受光素子との間から遮光部１５ｂが外れて、カード２が検知される。一方、所定の規格に適合していないカード幅の狭いカード２がカード挿入口４から挿入されると、カード２の端面２ａがカード接触部１５ａに接触しないか、あるいは、カード２の端面２ａがカード接触部１５ａに接触しても、レバー部材１５の回動量はわずかである。そのため、遮光部１５ｂは、幅検知センサ１６の発光素子と受光素子との間を遮ったままであり、カード２は検知されない。このように、幅検知機構１１は、挿入されるカード２の幅が所定の規格に適合した適切な幅であるか否かを検知する。
【００２７】
厚み検知機構１２と、プリヘッド１３とは、カード２の厚み方向で互いに対向するように配置されている。プリヘッド１３は、磁気ギャップが形成される先端部が厚み検知機構１２側を向くように配置されている。また、プリヘッド１３は、カード２の磁気ストライプに当接する位置に配置されている。
【００２８】
厚み検知機構１２は、カード２の表面２ｂ（図１参照）に接触して変位する厚み方向接触部材１９と、厚み方向接触部材１９の変位を検知する厚み検知センサ２０とを備えている。厚み方向接触部材１９は、カード２の表面２ｂに接触する２個のローラ２１と、ローラ２１を回転可能に支持する固定軸２２と、固定軸２２が固定される軸固定部材２３とを備えている。厚み検知センサ２０は、発光素子と受光素子とを備える光学式のセンサである。具体的には、厚み検知センサ２０はフォトインタラプタである。
【００２９】
２個のローラ２１は、固定軸２２の両端側のそれぞれに回転可能に支持されている。固定軸２２は、カード２の幅方向を軸方向として軸固定部材２３に固定されている。軸固定部材２３には、厚み検知センサ２０の発光素子と受光素子との間を遮る遮光部２３ｂが形成されている。
【００３０】
軸固定部材２３は、カード２の幅方向を軸方向としてカード挿入部５のフレームに固定される固定軸（図示省略）に回動可能に支持されている。具体的には、カード２の厚さ方向におけるカード搬送路６の一端側からカード搬送路６に対してローラ２１が進退可能となるように、軸固定部材２３は固定軸に回動可能に支持されている。また、この固定軸が挿通されるネジリコイルバネ２４によって、ローラ２１の一部がカード搬送路６の中に配置される方向に、軸固定部材２３が付勢されている。また、２個のローラ２１は、図３に示すように、カード２の幅方向において、プリヘッド１３の両側に配置されている。
【００３１】
本形態では、カード２がカード挿入口４から挿入されていないときには、ローラ２１の一部は、カード搬送路６の中に配置されており、遮光部２３ｂは、厚み検知センサ２０の発光素子と受光素子との間から外れている。この状態で、所定の規格に適合するカード厚みのカード２がカード挿入口４から挿入されると、カード２の表面２ｂがローラ２１に接触して、カード搬送路６からローラ２１が退避する方向へ軸固定部材２３が回動する。軸固定部材２３が回動すると、厚み検知センサ２０の発光素子と受光素子との間を遮光部２３ｂが遮るため、カード２が検知される。一方、所定の規格に適合していないカード厚みの薄いカード２がカード挿入口４から挿入されると、カード２の表面２ｂがローラ２１に接触しないか、あるいは、カード２の表面２ｂがローラ２１に接触しても、軸固定部材２３の回動量はわずかである。そのため、遮光部２３ｂは、厚み検知センサ２０の発光素子と受光素子との間から外れたままであり、カード２は検知されない。このように、厚み検知機構１２は、挿入されるカード２の厚みが所定の規格に適合した適切な厚みであるか否かを検知する。
【００３２】
（制御部の構成）
図４は、図１に示すカード処理装置１の制御部２７およびその関連部分の構成を示すブロック図である。なお、図４には、シャッタ７の開閉制御に関連する構成が図示されている。
【００３３】
カードリーダ１は、各種の制御を行うための制御部２７を備えている。制御部２７は、シャッタ７の開閉制御に関連する構成として、幅検知センサ１６および厚み検知センサ２０が接続されるＡＮＤ回路（論理積回路）２８と、所定の制御を実行するための制御信号を出力する演算回路としてのＣＰＵ２９と、シャッタ７が連結されるソレノイド８を駆動するシャッタ駆動回路３０とを備えている。
【００３４】
ＡＮＤ回路２８の入力側には、幅検知センサ１６と厚み検知センサ２０とが接続されており、ＡＮＤ回路２８には、幅検知センサ１６でカード２が検知されたときに幅検知センサ１６から出力される幅検知信号と、厚み検知センサ２０でカード２が検知されたときに厚み検知センサ２０から出力される厚み検知信号とが入力可能となっている。また、ＡＮＤ回路２８の出力側は、ＣＰＵ２９に接続されている。ＡＮＤ回路２８は、幅検知信号および厚み検知信号が入力されると、カード検知信号をＣＰＵ２９へ出力する。すなわち、ＡＮＤ回路２８は、幅検知信号および厚み検知信号の両方、および、いずれか一方が入力されていない場合には、カード検知信号をＣＰＵ２９へ出力しない。なお、幅検知センサ１６とＡＮＤ回路２８との間、および、厚み検知センサ２０とＡＮＤ回路２８との間には、図示を省略する増幅回路等が配置されている。
【００３５】
ＣＰＵ２９には、ＡＮＤ回路２８に加え、プリヘッド１３が接続されており、カード２に形成される磁気ストライプがプリヘッド１３で検知されたときにプリヘッド１３から出力される磁気ストライプ検知信号が入力可能となっている。また、ＣＰＵ２９には、シャッタ駆動回路３０が接続されており、ＣＰＵ２９は、所定の条件が整うと、ソレノイド８を励磁して開方向へシャッタ７を移動させるシャッタ開信号をシャッタ駆動回路３０へ出力する。なお、プリヘッド１３とＣＰＵ２９との間は、図示を省略する増幅回路等が配置されている。
【００３６】
また、ＣＰＵ２９には、カードリーダ１が搭載されるカード処理システム（図示省略）の制御部である制御指令部３２が接続されている。制御指令部３２には、ＣＰＵ２９を介して、カード検知信号および磁気ストライプ検知信号が入力可能となっており、制御指令部３２は、カード検知信号および磁気ストライプ検知信号が入力されると、ＣＰＵ２９がシャッタ開信号を出力するように、ＣＰＵ２９に制御指令を出力する。また、この制御指令が入力されたＣＰＵ２９は、シャッタ開信号をシャッタ駆動回路３０へ出力する。このように、本形態では、幅検知機構１１および厚み検知機構１２でカード２が検知され、かつ、プリヘッド１３でカード２の磁気ストライプが検知されると、シャッタ７が開位置へ移動して、カード搬送路６が開放される。
【００３７】
（本形態の主な効果）
以上説明したように、本形態のカードリーダ１は、カード挿入口４とシャッタ７との間に配置される幅検知機構１１と厚み検知機構１２とを備えている。そのため、本形態では、カード２の幅および厚みを検知することで、カード挿入口４から挿入されるカード２が正常なカード２であるか否かを検知することができる。また、本形態では、カード挿入口４とシャッタ７との間にプリヘッド１３が配置されているため、カード２の幅および厚みを検知するのに加え、カード２に磁気ストライプが形成されているか否かを検知することで、カード挿入口４から挿入されるカード２が正常なカード２であるか否かを検知することができる。
【００３８】
したがって、本形態では、カード挿入口４から正常なカード２が挿入されたか否かをより適切に検知することが可能になる。その結果、シャッタ７の開閉を適切に制御して、悪質ないたずらや犯罪を防止することが可能になり、カードリーダ１の信頼性を高めることが可能になる。
【００３９】
また、本形態では、幅検知機構１１は、カード２の端面２ａに接触して変位するレバー部材１５を備え、厚み検知機構１２は、カード２の表面２ｂに接触して変位する厚み方向接触部材１９を備えている。すなわち、本形態では、カード２の幅方向でカード２に直接、接触するレバー部材１５と、カード２の厚み方向でカード２に直接、接触する厚み方向接触部材１９とを備えている。そのため、カード２の幅方向および厚み方向におけるカード２の検知精度を高めることが可能になる。したがって、本形態では、カード挿入口４から正常なカード２が挿入されたか否かをより適切に検知することが可能になる。その結果、シャッタ７の開閉を適切に制御して、悪質ないたずらや犯罪を防止することが可能になり、カードリーダ１の信頼性を高めることが可能になる。
【００４０】
本形態では、制御部２７は、幅検知センサ１６と厚み検知センサ２０とが接続されるＡＮＤ回路２８を備えており、幅検知センサ１６から出力される幅検知信号および厚み検知センサ２０から出力される厚み検知信号の２つの信号がＣＰＵ２９に入力されることはない。また、幅検知信号および厚み検知信号がＡＮＤ回路２８に入力されないとカード検知信号がＣＰＵ２９に入力されない。したがって、本形態では、カードリーダ１が幅検知機構１１と厚み検知機構１２とを備えている場合であっても、ＣＰＵ２９での処理負担を軽減することが可能になる。また、本形態では、幅検知信号および厚み検知信号の２つの信号がＣＰＵ２９に入力される場合と比較して、ＣＰＵ２９の接続ポートの数を減らすことが可能になる。
【００４１】
（他の実施の形態）
上述した形態は、本発明の好適な形態の一例ではあるが、これに限定されるものではなく本発明の要旨を変更しない範囲において種々変形実施が可能である。
【００４２】
上述した形態では、カードリーダ１に挿入されるカード２に磁気ストライプが形成されているため、制御指令部３２は、カード検知信号および磁気ストライプ検知信号が入力されると、シャッタ開信号を出力するように、ＣＰＵ２９に制御指令を出力している。この他にもたとえば、カードリーダ１に挿入されるカード２が磁気ストライプが形成されていないＩＣカード等である場合には、制御指令部３２は、磁気ストライプ検知信号が入力されなくてもカード検知信号が入力されれば、シャッタ開信号を出力するようにＣＰＵ２９に制御指令を出力しても良い。このように、カードリーダ１が搭載されるカード処理システムでは、たとえば、処理されるカード２に応じて、シャッタ７の開閉制御に磁気ストライプ検知信号を利用するか否かを選択することが可能である。
【００４３】
上述した形態では、ＣＰＵ２９は、制御指令部３２に接続されているが、ＣＰＵ２９は、制御指令部３２に接続されていなくても良い。この場合には、たとえば、ＣＰＵ２９は、カード検知信号と磁気ストライプ検知信号とが入力されると、シャッタ開信号をシャッタ駆動回路３０へ出力する。
【００４４】
上述した形態では、カードリーダ１は、プリヘッド１３を備えているが、カードリーダ１は、プリヘッド１３を備えていなくても良い。また、カードリーダ１は、プリヘッド１３に代えて、カード２に固定されるＩＣチップを検知する金属検知機構を備えていても良い。この場合には、たとえば、制御指令部３２は、ＩＣチップを検知した金属検知機構から出力される金属検知信号およびカード検知信号がＣＰＵ２９を介して入力されると、シャッタ開信号を出力するように、ＣＰＵ２９に制御指令を出力する。あるいは、この場合には、制御指令部３２は、金属検知信号およびカード検知信号がＣＰＵ２９を介して入力されると、カード２のＩＣチップに接触してデータを読み取るＩＣ接点ブロック等の所定の制御を実行するための制御信号をＣＰＵ２９が出力するように、ＣＰＵ２９に制御指令を出力する。
【００４５】
上述した形態では、カードリーダ１は、シャッタ７を備えているが、カードリーダ１はシャッタ７を備えていなくても良い。この場合であっても、制御指令部３２は、カード検知信号および磁気ストライプ検知信号が入力されると、所定の制御を実行するための制御信号をＣＰＵ２９が出力するように、ＣＰＵ２９に制御指令を出力する。たとえば、制御指令部３２は、カード検知信号および磁気ストライプ検知信号が入力されると、カードリーダ１の内部へカード２を取り込むようにカード搬送機構を起動させる制御信号をＣＰＵ２９が出力するように、ＣＰＵ２９に制御指令を出力する。
【００４６】
上述した形態では、幅検知センサ１６は、光学式のセンサである。この他にもたとえば、幅検知センサ１６は、レバー部材とレバー部材の動きに応じてオンオフする接触式のスイッチとを備える接点スイッチ等の機械式のセンサであっても良い。同様に、厚み検知センサ２０も、機械式のセンサであっても良い。
【００４７】
上述した形態では、カード２の幅方向におけるカード搬送路６の一端側からカード搬送路６に対してカード接触部１５ａが進退可能となるようにレバー部材１５が配置されているが、上述した特許文献１に開示されているように、カード２の幅方向におけるカード搬送路６の両端側からカード搬送路６に対してカード接触部１５ａが進退可能となるように２本のレバー部材１５が配置されても良い。また、上述した形態では、厚み検知機構１２は、２個のローラ２１を備えているが、厚み検知機構１２は、上述の特許文献２に開示されているように、プリヘッド１３に対向配置される１個のローラ２１を備えていても良い。
【００４８】
上述した形態では、幅検知機構１１は、レバー部材１５と幅検知センサ１６とを備えているが、カード搬送路６に臨むように配置される発光素子と受光素子とによって、幅検知機構が構成されても良い。また、接点スイッチによって、幅検知機構が構成されても良いし、厚み検知機構が構成されても良い。
【００４９】
上述した形態では、カードリーダ１は、カード搬送機構を備えるカード搬送式のカードリーダであるが、本発明の構成が適用されるカードリーダは、カード搬送機構を備えていない手動式のカードリーダであっても良い。また、上述した形態では、磁気データの読取りや記録を行う磁気ヘッドを備えるカードリーダ１を例に、本発明の実施の形態にかかるカード処理装置を説明したが、本発明が適用されるカード処理装置は、磁気ヘッドを備えていなくても良い。たとえば、本発明が適用されるカード処理装置は、印字機構を備える印刷装置やスキャナを備える画像読取装置等であっても良い。
【符号の説明】
【００５０】
１  カードリーダ（カード処理装置）
２  カード
２ａ  カードの幅方向の端面
２ｂ  カードの表面
４  カード挿入口
６  カード搬送路
７  シャッタ
１１  幅検知機構
１２  厚み検知機構
１３  プリヘッド（磁気ヘッド）
１５  レバー部材（幅方向接触部材）
１６  幅検知センサ
１９  厚み方向接触部材
２０  厚み検知センサ
２８  ＡＮＤ回路
２９  ＣＰＵ（演算回路）
３０  シャッタ駆動回路
３２  制御指令部
【図１】
2011209981.tif 000003
【図２】
2011209981.tif 000004
【図３】
2011209981.tif 000005
【図４】
2011209981.tif 000006